(57)【要約】【課題】回動などの移動が容易なテーブルを提供する。【解決手段】本発明は、キャスターと、キャスター取付部を有する脚と、天板とを具備するテーブルであって、キャスター取付部は、複数個、有り、複数個のキャスター取付部の中の少なくとも一つには、自在キャスターが、複数個、設けられてなり、複数個の自在キャスターは、該複数個の自在キャスターの中心位置から半径が２０ｃｍ以内の領域に存在するテーブルである。【選択図】図１
2020039827.tif 000002
【特許請求の範囲】
【請求項１】
キャスターと、
キャスター取付部を有する脚と、
天板
とを具備するテーブルであって、
前記キャスター取付部は、複数個、有り、
前記複数個のキャスター取付部の中の少なくとも一つには、自在キャスターが、複数個、設けられてなり、
前記複数個の自在キャスターは、該複数個の自在キャスターの中心位置から半径が２０ｃｍ以内の領域に存在する
テーブル。
【請求項２】
前記半径が１０ｃｍ以内の領域に存在する
請求項１のテーブル。
【請求項３】
前記複数個のキャスター取付部の少なくとも一つには、固定キャスターが、設けられてなる
請求項１又は請求項２のテーブル。
【請求項４】
前記脚の下端部に水平部材が設けられてなり、
前記水平部材が前記キャスター取付部を具備する
請求項１〜請求項３いずれかのテーブル。
【請求項５】
前記キャスター取付部は分岐面部を有し、
前記分岐面部に、各々、自在キャスターが設けられてなる
請求項１〜請求項４いずれかのテーブル。
【発明の詳細な説明】
【技術分野】
【０００１】
本発明は、テーブルに関する。
【背景技術】
【０００２】
Ｘ字状に交差された脚を具備するテーブルが特許文献１に開示されている。前記テーブルの脚は、Ｘ字状に交差された一対の脚２１ａ，２１ｂが交差軸で回動可能に連結されている。各脚２１ａ，２１ｂの上端には横棒２５ａ，２５ｂが連結されている。各脚２１ａ，２１ｂの下側には横棒２６ａ，２６ｂが連結されている（前記符号は特開２００９−２７９０６２号公報の図６など参照）。
【先行技術文献】
【特許文献】
【０００３】
【特許文献１】特開２００９−２７９０６２号公報
【発明の概要】
【発明が解決しようとする課題】
【０００４】
特許文献１のテーブルは、脚２１ａ，２１ｂの下側の横棒２６ａ，２６ｂの両端に車輪２８が設けられている。このためテーブルを移動することは可能である。しかし、車輪２８の走行方向が固定されているため、テーブルを自由な方向に移動することが難しかった。無理をすれば、他の方向にも動かすことは可能である。しかし、その場合は、床面を傷付ける。特に、床面が柔らかな杉板である場合、確実に、傷が付く。
【０００５】
本発明が解決しようとする課題は、例えば回動などの移動が容易なテーブルを提供することである。
【課題を解決するための手段】
【０００６】
本発明は、
キャスターと、
キャスター取付部を有する脚と、
天板
とを具備するテーブルであって、
前記キャスター取付部は、複数個、有り、
前記複数個のキャスター取付部の中の少なくとも一つには、自在キャスターが、複数個、設けられてなり、
前記複数個の自在キャスターは、該複数個の自在キャスターの中心位置から半径が２０ｃｍ以内の領域に存在する
テーブルを提案する。
【０００７】
本発明は、前記テーブルであって、好ましくは、前記半径が１０ｃｍ以内の領域に存在するテーブルを提案する。
【０００８】
本発明は、前記テーブルであって、好ましくは、前記複数個のキャスター取付部の少なくとも一つには、固定キャスターが、設けられてなるテーブルを提案する。
【０００９】
本発明は、前記テーブルであって、好ましくは、前記脚の下端部に水平部材が設けられてなり、前記水平部材が前記キャスター取付部を具備するテーブルを提案する。
【００１０】
本発明は、前記テーブルであって、好ましくは、前記キャスター取付部は分岐面部を有し、前記分岐面部に、各々、自在キャスターが設けられてなるテーブルを提案する。
【発明の効果】
【００１１】
キャスター取付部の少なくとも一つには複数個の自在キャスターが取り付けられている。１つのキャスター取付部に１つの自在キャスターが取り付けられているものと比べて、回動などの移動が容易となる。
【図面の簡単な説明】
【００１２】
【図１】本発明の実施形態の斜視図。
【図２】本発明の実施形態の水平部材２５の下面図。
【図３】本発明の実施形態の端部３１の変形例を示す下面図。
【発明を実施するための形態】
【００１３】
本発明はテーブルである。ここで、テーブルとは、何か物を載せることが出来る物であれば良い意味で用いられている。従って、テーブルには机も含まれる。ベッド等も含まれる。椅子なども含まれる。前記テーブルはキャスターを具備する。前記テーブルは脚を具備する。前記脚はキャスター取付部を具備する。例えば、前記脚に別部材のキャスター取付部が設けられても良い。前記脚と前記キャスター取付部とが一体物として作られても良い。前記テーブルは天板を具備する。前記キャスター取付部は、複数個、有る。前記キャスター取付部は、安定性・操作性（移動性）の観点から、好ましくは、３個以上である。尤も、キャスターは移動を目的とする物であるから、操作性（移動性）を犠牲にするならば、キャスター取付部が１個である場合も考えられる。従来にあっては、一つのキャスター取付部には一つのキャスターが取り付けられていたに過ぎない。これに対して、本発明にあっては、一つの（例えば、一個所の）キャスター取付部に、複数個のキャスターが取り付けられている。複数個とは２個でも３個でも良い。それより多くても良い。しかし、多くなっても、本発明が奏する特長が格段に向上する訳でもない。コストの点から考えたならば、通常は、２個であろう。前記少なくとも一つのキャスター取付部に取り付けられた複数個のキャスターは自在キャスターである。ここで、自在キャスターとは、前記車輪２８の如く、一方向にのみ移動が可能と言うものではなく、例えば垂直軸芯の回りにも回動可能なものである。フリーボールベアリングタイプのものであっても良いであろう。前記テーブルを床面上に置いた際、前記複数個の自在キャスターの下端は同時に前記床面に接する。すなわち、前記テーブルは、前記複数個の自在キャスターによって、支持されている。前記キャスターは物体としての大きさを持つ。従って、一つの（例えば、一個所の）キャスター取付部に複数個のキャスターが取り付けられていると雖も、前記複数個のキャスターの取付位置は異なっている。厳密な意味では同一点に複数個のキャスターが取り付けられていると言う訳ではない。すなわち、前記複数個のキャスターが取り付けられているキャスター取付部は或る広さ（大きさ）の面積を有する。この或る広さ（大きさ）とは、複数個のキャスターが取付可能であれば良い。従って、キャスターが小型になれば、それに応じて面積も小さくて良い。大型のキャスターを必要とする場合、テーブル自体が大型なものであろう。このような場合、もはや、人力のみでテーブルを移動（回動）させることは考え難いであろう。とすると、本発明で用いられるキャスターは市販の通常のキャスターであろう。とすれば、或る程度の大きさのキャスターを用いる場合でも、一つの（例えば、一個所の）キャスター取付部に取り付けられる複数個の自在キャスター（自在キャスターの取付位置（自在キャスターの中心位置））は、該複数個の自在キャスターの中心位置から半径が２０ｃｍ以内の領域に存在する。それを越えてしまうと、本発明のテーブルが目的とする移動性（回動性）が発揮され難くなる。好ましくは、複数個の自在キャスターの中心位置から半径が１０ｃｍ以内の領域に該複数個の自在キャスターが存在する場合である。つまり、そうしておく方が、本願発明の特長を効果的に発揮できる。更に好ましくは、前記半径が７ｃｍ以内の領域に存在する場合である。すなわち、キャスターの大きさにもよるが、自在キャスターの中心間距離は小さい方が移動性（回動性）が良かった。但し、複数個の自在キャスターの中心位置から半径が０．５ｃｍ以上の領域に該複数個の自在キャスターの中心位置が存在する場合が好ましい。なぜならば、複数個の自在キャスターの中の一つの自在キャスターの中心位置と他の自在キャスターの中心位置との距離が短すぎると、極論すると、自在キャスターが１個の場合に相当するようになる。このようになってしまうと、本発明の特長が奏され難い。前記キャスター外形端と前記キャスター外形端との間の最短距離が、例えば３ｃｍ以下の場合が、移動性（回動性）が良かった。前記最短距離の下限値は１ｍｍでも良い。自在キャスターが回動した際に、自在キャスター同士に衝突が起きない距離で有れば良い。斯くの如くに自在キャスターを複数個設けておくことによって、本発明の目的が効果的に奏された。
【００１４】
本発明にあっては、全てのキャスター取付部に複数個の自在キャスターが取り付けられていても良い。しかし、複数個のキャスター取付部の少なくとも一つ（例えば、一つ、又は二つ）には、固定キャスターが設けられている方が好ましい。ここで、固定キャスターとは、前記車輪２８の如く、一方向に移動が可能であると言う意味である。そして、固定キャスターが有った方が、この固定キャスターが回動支点の如くになり、テーブル（自在キャスター）の回動特性が良い。しかも、一方向には移動できるから、前進・後退動作には支障がない。
【００１５】
前記脚の下端には、好ましくは、水平部材が設けられている。この水平部材が前記キャスター取付部を具備する。前記水平部材と前記キャスター取付部とは、別部材で出来ていても、一体物で出来ていても良い。
【００１６】
前記キャスター取付部は、例えば分岐面部を有する。例えば、平面視で略Ｖ形状、略Ｙ形状、略Ｃ形状、略Ｈ形状、略コ字形状などである。前記分岐面部に、各々、自在キャスターが設けられている。尤も、前記キャスター取付部が円形状板、三角形状板、四角形状板であっても良い。
【００１７】
以下、本発明が具体的に説明される。下記実施例は本発明の一実施例に過ぎない。本発明は下記実施例に限定されない。すなわち、本発明の特長が大きく損なわれない変形・応用例も本発明に含まれる。
【００１８】
図１は、本発明の実施形態のテーブル１の斜視図である。
テーブル１は、天板１１と、脚２１，２２とを具備する。脚２１，２２は、Ｘ字状に互いに交差され、かつ、交差軸を中心に回動自在に連結されている。脚２１，２２は、上側水平部材２３，２４を具備する。上側水平部材２３，２４は、脚２１，２２の上端（天板側）に接合されている。脚２１，２２は、下側水平部材２５，２６を具備する。下側水平部材２５，２６は、脚２１，２２の下端（床側）に接合されている。脚２１と上側水平部材２３と下側水平部材２５とはＨ字を形成している。脚２２と上側水平部材２４と下側水平部材２６とはＨ字を形成している。上側水平部材２３，２４は天板１１を支持する。上側水平部材２３，２４は天板１１に接合される。
【００１９】
下側水平部材２５の両端には略Ｖ形状板のキャスター取付部３１が取り付けられている。図２は下側水平部材２５の下面図である。キャスター取付部（略Ｖ形状板）３１には、自在キャスターが、複数個、設けられている。例えば、２個の自在キャスター３２ａ，３２ｂが設けられている。自在キャスター３２ａの中心位置と自在キャスター３２ｂの中心位置との間の距離は５ｃｍであった。自在キャスター３２ａ，３２ｂは、車輪が方向自在に回転する。自在キャスター３２ａ，３２ｂの構成は周知であるから、その説明は省略される。
【００２０】
図２では、自在キャスター３２ａ，３２ｂが、各キャスター取付部３１に、各々、設けられているが、これに限定されない。３つであっても良い。
【００２１】
図２では、キャスター取付部３１は、平らなＶ字形に形成されているが、これに限定されない。他の分岐形状でもよい。分岐形状でなくてもよい。円形、半円形、三角形や四角形等の多角形でもよい。キャスター取付部３１の形状を図３に例示する。
【００２２】
図２では、自在キャスター３２ａ，３２ｂに、扁平の低床式キャスターを用いているが、これに限定されない。進行方向が自在に変更できるキャスターであればよい。フリーボールベアリングタイプのものでもよい。自在キャスター３２ａ，３２ｂには、キャスターの高さが低めの低床式キャスターを用いるのが好ましい。重心が低くなり、安定性が増すからである。
【００２３】
下側水平部材２６の両端には車輪３３が設けられている。この車輪３３は、自在キャスター３２ａ，３２ｂタイプではない。所謂、固定キャスター（一方向に移動可能タイプ）である。自在キャスター３２ａ，３２ｂと車輪３３との協同作用により、テーブルを一方向に移動することが容易となる。
【００２４】
上記実施形態によれば１つのキャスター取付部に複数の自在キャスターが取り付けられている。１つのキャスター取付部に１つの自在キャスターが取り付けられているものと比べて、回動などの移動が容易であった。
【００２５】
下側水平部材２６の端に設けられるキャスターは自在キャスター３２ａ，３２ｂではない方が好ましい。その理由は次の通りである。意図しないでテーブル１が横（図１の場合において、下側水平部材２５，２６の長手方向）に押された場合、全てが自在キャスター３２ａ，３２ｂの場合に比べて、下側水平部材２６側の接床部に働く摩擦力（抵抗力）が大きく、テーブル１の意図しない方向への移動が抑止される。これにより安全性が増す。
【００２６】
Ｘ字状に交差された一対の脚を具備するテーブルの一つに、天板が昇降可能なテーブル（昇降テーブル）がある。昇降テーブルは、Ｘ字状に交差された脚を開閉することにより、その上に載置された天板が昇降するように構成されたものである。本願発明を前記昇降テーブルに適用してもよい。
【００２７】
以上好ましい実施の形態をあげて本発明を説明したが、本発明は必ずしも上記実施の形態に限定されるものではなく、その技術的思想の範囲内において様々に変形し実施することが出来る。例えば、テーブルが１本の支柱（脚）で支持され、支柱（脚）の下端にＸ字状の板が取り付けられ、Ｘ字状の板の下面の先端部の各々、例えば四つの先端部の中の二つには複数個（例えば、２個）の自在キャスターが各々取り付けられ、残りの二つの先端部には１個の固定キャスターが各々取り付けられたものでも良い。或いは、テーブルが４本の支柱（脚）で支持され、例えば四つの脚の中の二つの脚の下端部には複数個（例えば、２個）の自在キャスターが各々取り付けられ、残りの二つの脚の下端部には１個の固定キャスターが各々取り付けられたものでも良い。
【符号の説明】
【００２８】
１                テーブル
１１              天板
２１、２２        脚
２３、２４        上側水平部材
２５、２６        下側水平部材
３１              端部
３２ａ、３２ｂ    自在キャスター
３３              車輪
【図１】
2020039827.tif 000003
【図２】
2020039827.tif 000004
【図３】
2020039827.tif 000005